(57)【要約】  本発明は、液体洗剤組成物を収容する水溶性パウチに関し、前記パウチが、水溶性フィルムであり、前記フィルム材が、ポリビニルアルコールを含んでなり、前記液体洗剤組成物が、可塑剤も含んでなり、前記可塑剤が、グリセロール、エチレングリコール、ジエチレングリコール、トリエチレングリコール、２‐メチル‐１，３‐プロパンジオール、ソルビトール、メタノール、ジグリセロール、１，４‐ブタンジオール、尿素及びこれらの混合物から成る群から選択され、前記液体洗剤組成物が、更に粘度変性剤、好ましくは硬化ヒマシ油を含んでなる。【特許請求の範囲】
【請求項１】
液体洗剤組成物を収容する水溶性パウチであって、前記パウチが、水溶性フィルムであり、前記フィルム材が、ポリビニルアルコールを含んでなり、前記液体洗剤組成物が、前記フィルムのための可塑剤も含んでなり、前記可塑剤が、グリセロール、エチレングリコール、ジエチレングリコール、トリエチレングリコール、２‐メチル‐１，３‐プロパンジオール、ソルビトール、メタノール、ジグリセロール、１，４‐ブタンジオール、尿素及びこれらの混合物から成る群から選択され、前記液体洗剤組成物が、更に粘度変性剤を含んでなることを特徴とする水溶性パウチ。
【請求項２】
前記可塑剤が、グリセロール、エチレングリコール、ジエチレングリコール及びこれらの混合物から成る群から選択される、請求項１に記載の水溶性パウチ。
【請求項３】
前記可塑剤が、グリセロールである、請求項１に記載の水溶性パウチ。
【請求項４】
前記粘度変性剤が、前記液体洗剤組成物に非ニュートンずり減粘レオロジーを付与する、請求項１〜４のいずれか一項に記載の水溶性パウチ。
【請求項５】
前記粘度変性剤が、固体トリグリセリド類、微細固体類、ゴム類、多糖類、合成ポリマー類及びこれらの混合物から成る群から選択される、請求項１〜４のいずれか一項に記載の水溶性パウチ。
【請求項６】
前記粘度変性剤が、硬化ヒマシ油である、請求項５に記載の水溶性パウチ。
【請求項７】
液体洗剤組成物を収容する水溶性パウチであって、該パウチが、水溶性フィルムであり、該フィルム材が、ポリビニルアルコールを含んでなり、
該液体洗剤組成物が、
グリセロール、エチレングリコール、ジエチレングリコール、トリエチレングリコール、２‐メチル‐１，３‐プロパンジオール、ソルビトール、メタノール、ジグリセロール、１，４‐ブタンジオール、尿素及びこれらの混合物から成る群から選択され、好ましくはグリセロール、エチレングリコール、ジエチレングリコール及びこれらの混合物であり、より好ましくはグリセロールである、１重量％〜２０重量％の該フィルムのための可塑剤と、
０．０１重量％〜５重量％の粘度変性剤、好ましくは硬化ヒマシ油と、
１０重量％〜８０重量％の界面活性剤と、
２５重量％未満の水と
を含んでなる水溶性パウチ。
【請求項８】
５〜１５重量％の水を含んでなる、請求項７に記載の液体洗剤組成物を収容する水溶性パウチ。
【請求項９】
前記液体洗剤組成物が、０．１重量％〜６重量％の双性イオン性ポリアミンを更に含んでなる、請求項７又は８に記載の液体洗剤組成物を収容する水溶性パウチ。
【発明の詳細な説明】
【技術分野】
【０００１】
本発明は、液体洗剤組成物を収容する水溶性パウチに関する。
【背景技術】
【０００２】
液体が充填されているパウチは、農業用化学物質及び工業製品に加えて消費者製品を包装する便利な形態として既知である。液体は、「１回用量」としての使用目的で予め計量された量で提供されてよい。液体製品を包むフィルムは、パウチの壁を形成し、所望により水に可溶性であってよい。この目的に特に好適な水溶性フィルムは、ポリビニルアルコールから作製され、この状況において、本発明は、液体洗剤の１回用量の包装に特に好都合である。
【０００３】
消費者が直面するこれら製品の主要な問題の１つは、消費者が、しばしばぬれた状態の手でパウチを取り扱う、又は不注意になにがしかの水滴をパウチにはねかけることである。このようなことが起こると、水滴が、局部的にＰＶＡフィルムを溶解する場合があり、それにより、孔を作り、液体洗剤がパウチから漏れるおそれがある。本発明は、液体洗剤組成物を具体的に再設計し、この問題を大幅に削減、又は解消する。
【０００４】
２００２年２月１４日公開のＷＯＡ０２／１２４３２は、液体１回用量の組成物を開示している。好ましい組成物は、水のほかにパウチ材料のための可塑剤を含むということが提案されている（すなわち、水溶性フィルム）。このような可塑剤は、組成物の成分のための溶媒であること及びパウチ材料のための可塑剤であることの二重の目的を有することができる。
【発明の開示】
【発明が解決しようとする課題】
【０００５】
しかしながら先行技術は、全般に、ぬれた手で取り扱うパウチの技術的な問題について記載も取り組みもしていない。
【課題を解決するための手段】
【０００６】
本発明は、液体洗剤組成物を収容する水溶性パウチに関し、前記パウチが、水溶性フィルムであり、前記フィルム材が、ポリビニルアルコールを含んでなり、前記液体洗剤組成物が、前記フィルム材のための可塑剤も含んでなり、前記可塑剤が、グリセロール、エチレングリコール、ジエチレングリコール、トリエチレングリコール、２‐メチル‐１，３‐プロパンジオール、ソルビトール、メタノール、ジグリセロール、１，４‐ブタンジオール、尿素及びこれらの混合物から成る群から選択され、前記液体洗剤組成物が、更に粘度変性剤を含んでなる。
【発明を実施するための最良の形態】
【０００７】
液体洗剤組成物を封入する水溶性フィルム材は、ポリビニルアルコール及び水溶性パウチ材料のための可塑剤を含んでなり、前記可塑剤が、グリセロール、エチレングリコール、ジエチレングリコール、トリエチレングリコール、２‐メチル‐１，３‐プロパンジオール、ソルビトール、メタノール、ジグリセロール、１，４‐ブタンジオール、尿素及びこれらの混合物から成る群から選択され、好ましくはグリセロールである。本発明において、このような可塑剤は、組成物のその他の成分のための溶媒であること及びパウチ材料のための可塑剤であることの二重の目的を有することができる。
【０００８】
液体組成物はいかなる方法によって作製されてもよく、通常その成分に応じていかなる粘度を有することもできる。粘度は、硬化ヒマシ油及び／又は溶媒等の各種粘度変性剤を使用し調節される。硬化ヒマシ油は、チキシン（Thixcin）（登録商標）として市販されている。
【０００９】
粘度変性剤が、液体洗剤組成物に非ニュートンずり減粘レオロジーを付与することが好ましい。
【００１０】
使用されてよい他の好適な別の粘度変性剤は、固体のトリグリセリド類、微細固体類（粘土類、ゼオライト類、シリカ類、ワックス類等）、ゴム類（グアーガム、キサンタンガム、カラゲーン、ガム、アラビカ（Arabica）等）、多糖類（セルロース又はその誘導体類、デンプン又はその誘導体類、デキストリン、ペクチン）、ポリカルボキシレート類（ポリアクリレート類／マレイン酸塩類、ポリアミン類、ポリアミド類、ビニルポリマー類及び他のホモ又はコポリマー類等）を含む合成ポリマー類、並びにこれらの混合物から成る群から選択されてよい。
【００１１】
粘度は、２１℃及び０．５ｓ−１の低剪断力で３Ｐａ・ｓ（３，０００センチポアズ）を超え、好ましくは５Ｐａ・ｓ（５，０００センチポアズ）を超えることが望ましい。
【００１２】
液体洗剤組成物を封入する水溶性フィルム材は、ポリビニルアルコールを含んでなる。
【００１３】
水溶性パウチを作製するために最も好ましい材料は、水溶性ポリビニルアルコール（そのコポリマー類を含む）を含み、フィルム中に存在するポリマーは、好ましくは６０％〜１００％、より好ましくは８０％〜９８％、最も好ましくは８０％〜９５％が加水分解され、材料の溶解を改良する。
【００１４】
好適なコポリマー類としては、カルボキシレート類、スルフォネート類及びエトキシレート類が挙げられる。イタコン酸、アクリル酸、メタクリル酸は、好適なカルボン酸の例であり、２‐アクリルアミド‐２‐メチル‐１‐プロパンスルホン酸（ＡＭＰＳ）は、好適なスルホン酸の例である。
【００１５】
本明細書の水溶性フィルムは、ポリマー又はポリマー材料以外のその他の添加剤成分を含んでよい。例えば、可塑剤、例えばグリセロール、エチレングリコール、ジエチレングリコール、プロピレングリコール、プロパンジオール、ソルビトール及びこれらの混合物、追加の水、崩壊剤（disintegrating aids）、充填剤、消泡剤、乳化／分散剤、及び／又は粘着防止剤を加えることが有益であり得る。パウチ又は水溶性フィルム自体が、洗浄水に供給されるべき洗剤添加物、例えば、有機ポリマー性の汚れ放出剤、分散剤、移染防止剤などを含むことが有用であり得る。所望によりパウチのフィルム表面に微細粉末を散布して、摩擦係数を減少させてもよい。アルミノケイ酸ナトリウム、シリカ、タルク及びアミロースは、好適な微細粉末の例である。
【００１６】
押出成形、インフレーション、吹込み成形、押出注型又は溶液注型により薄いフィルムに形成されたポリビニルアルコールフィルムが非常に好ましい。そのようなフィルムは、好ましくは厚さが１０〜２００マイクロメートル、より好ましくは厚さが４０〜１００マイクロメートルである。特に好適な市販のフィルムは、モノゾル（MonoSol）８６３０（登録商標）である。
【００１７】
液体組成物の好ましい成分
液体組成物は、０．８ｋｇ／Ｌ〜１．３ｋｇ／Ｌ、好ましくは約１．０〜１．１ｋｇ／Ｌの密度を有するのが好ましい。
【００１８】
本発明の液体組成物は、濃縮され、比較的少ない量の水を含有する。液体組成物は２５重量％未満の水、好ましくは５〜１５重量％の水を含んでなる。ただし、好適な組成物は、更に５重量％未満の水を含んでなる。
【００１９】
本発明の液体は、前記液体を水性媒質中で１％の濃度に溶解して測定したとき、９未満のｐＨ、好ましくは８未満のｐＨを有することが望ましい。
【００２０】
本明細書において記載される成分の好ましい量は、本明細書全体において組成物の重量％である。
【００２１】
液体組成物が洗剤組成物の場合、少なくとも界面活性剤及びビルダー、好ましくは少なくともアニオン性界面活性剤及び好ましくはまた非イオン性界面活性剤、並びに好ましくは少なくともビルダー、より好ましくはホスフェートビルダー及び／又は脂肪酸ビルダーなどの少なくとも水溶性ビルダーが存在していることが好ましい。他の好ましい成分は、酵素及び／又は予め形成されたペルオキシ酸などの漂白剤である。
【００２２】
本明細書に用いるのに好適なアニオン性界面活性剤、非イオン性アルコキシル化界面活性剤、カチオン性界面活性剤、ビルダー化合物、香料、布地柔軟化粘土、カチオン性布地柔軟化剤、漂白剤、発泡抑制系及び酵素の具体例が、２００２年２月１４日公開のＷＯ０２／１２４３２に開示されており、参照としてそれを本明細書に組み込む。
【００２３】
香料、増白剤、緩衝剤（ｐＨを好ましくは５．５〜９、より好ましくは６〜８、最も好ましくは約７．５に維持する）も、又、非常に好ましい。
【００２４】
布地向上組成物において、少なくとも香料及び布地有益剤、例えば、カチオン性柔軟化剤又は粘土柔軟化剤、耐しわ剤、織物直接染料が存在していることが好ましい。
【００２５】
本発明によると、組成物は、水溶性パウチ材料のための可塑剤、例えば上記の可塑剤の１つを含み、グリセロールが最も好ましい。このような可塑剤は、組成物のその他の成分のための溶媒であること及びパウチ材料のための可塑剤であることの二重の目的を有することができる。
【００２６】
組成物は、又、アルコール類、ジオール類、モノアミン誘導体類、グリコール類、並びにポリエチレングリコール、プロパンジオール及びモノエタノールアミン等のポリアルキレングリコール（polyalkylaneglycols）類等の追加の溶媒を含んでよい。アルコール類の混合物並びにジオール類及びアルコール類の混合物等の溶媒の混合物が非常に好ましい。（少なくとも）アルコール、ジオール、モノアミン誘導体が存在することが非常に好ましい可能性がある。本発明の組成物は、好ましくは５０重量％未満又は更に４０重量％未満の溶媒（水以外）、好ましくは３０重量％未満又は更に２０重量％未満の溶媒を有する濃縮液体である。好ましくは、溶媒は組成物の少なくとも５重量％又は更に少なくとも１０重量％又は更に少なくとも１５重量％の濃度で存在する。
【００２７】
所望により、組成物は、又、ＷＯ０２／１２３４２において開示されたもののようなポリアミン類及び／又はポリイミン類を含んでよい。特に好ましい双性イオン性ポリアミン類は、
【化１】
2008518861.tif 000002
である。
［ＷＯ０１／０５８７４から式Ｖｉｉ，Ｖｉｉｉ，ＩＸ及びＸを切り取り、貼り付ける］
（式中
ＥＯは、−ＣＨ２−ＣＨ２−Ｏ−であり、
Ｍは、Ｈ、Ｎａ、Ｋ又はアンモニウムであり、
ｍは、２〜３０、好ましくは３〜１０、より好ましくは６であり、
ｎは、１５〜２５である。）
【００２８】
双性イオン性ポリアミン類の重量平均分子量Ｍｗは、９，０００までで、好ましくは１，５００〜７，５００、より好ましくは２，０００〜６，０００である。双性イオン性ポリアミン類は、水及び水性若しくは非水性溶媒又は処方中で可溶又は若しくは分散可能である。本発明の１つの好ましい実施形態において、それらは、水溶性である。これらの水溶性双性イオン性ポリエーテルポリアミン類は、洗濯洗剤組成物に使用され、布地からの粘土除去の度合いが優れている。
【００２９】
アニオン性電荷の平均数とプロトン化又は四級化されたアミン基に起因するカチオン性電荷の平均数との比率は、好ましくは０．７〜１．３である。
【００３０】
本発明による特に好ましい水溶性パウチは、
１重量％〜２０重量％の可塑剤、好ましくはグリセロールと、
０．０１重量％〜５重量％の粘度変性剤、好ましくは硬化ヒマシ油と、
１０重量％〜８０重量％の界面活性剤と、
２５重量％未満、好ましくは５重量％〜１５重量％の水と、
所望により、０．１重量％〜６重量％の双性イオン性ポリアミンと
を含んでなる液体洗剤組成物を含有する。
【実施例】
【００３１】
以下の実施例は本発明を更に説明する。列記した成分を列記した割合（特に指示がない限り重量％）で混合することにより組成物を製造する。実施例の組成物１〜５は、本発明による組成物を例示するが、必ずしも本発明の範囲を限定ないしは別の方法で画定するために使用されるものではない。
【００３２】
全ての例示された液体組成物は、フィルムパウチに充填され、各パウチは、約５０ｍＬの液体を包含する。パウチを作製するために使用されるフィルムは、市販のフィルムモノゾル（MonoSol）８６３０（登録商標）である。
【表１】
2008518861.tif 000003
１双性イオン性ポリアミンは、トランス硫酸化エトキシル化ヘキサメチレンジアミン第四級アンモニウム化合物である。
２蛍光増白剤は、４，４’‐ビス‐（２‐スルホスチリル（2-sulphostyryl））ビフェニル二ナトリウムで、チノパル（Tinopal）ＣＢＳ（登録商標）として市販されている。
【化２】
2008518861.tif 000004
【００３３】
実施例５は、本発明の別の実施例である。実施例Ａ、Ｂ及びＣは、比較例である。
【表２】
2008518861.tif 000005
＊センチポアズ（又はｍＮｓ／ｍ２）単位で測定された粘度
【００３４】
試験方法の説明
ぬれた手の水漏れに対するパウチ抵抗を評価するため、試験方法が開発されており、その方法は水滴による直接の水漏れを測定する（「パウチの水滴抵抗の測定（Pouch Water Droplet Resistance Measurement）」。水漏れは、水滴中でのＰＶＡフィルム溶解によるフィルム中の孔の形成が原因である。
【００３５】
「水滴による水漏れ」に対するパウチ抵抗は、水漏れの無かったパウチに対する水漏れのあったパウチの百分率で定義される。全ての試験は、温度及び湿度がコントロールされた部屋（２１℃、４０％ＲＨ）で行われるべきで、代表的な測定のため、少なくとも１０個のパウチが必要である。水溶性パウチが２つの異なるフィルム（例えば、異なる厚さ）から作製される場合又はパウチの一部がパウチの真空形成により引っ張られるため、すべての繰返しについて水漏れに対する抵抗をパウチの同じ側で評価することが重要である。（古くなったパウチを試験する場合、パウチが古くなる時点の空泡位置を記録することが重要である。）
エッペンドルフ（eppendorf）ピペットで２μｌの水をパウチの中央に加える。使用された水は、脱イオン水で１０倍に希釈され２１℃に調湿されているコントレックス（Contrex）（登録商標）水である。１０分の接触時間後、それらを試験台からゆっくり持ち上げ、パウチが水漏れしているかどうかをチェックする。水漏れしたパウチの数を数え、水漏れしたパウチの百分率を計算し記録する。
【００３６】
実験：ぬれた手の水漏れに対するパウチ抵抗に及ぼすグリセロール量及び硬化ヒマシ油量の影響
液体組成物５、Ａ、Ｂ及びＣをフィルムパウチに充填する。各パウチは、約５０ｍＬの液体を包含する。パウチを作製するために使用されるフィルムは、市販フィルムのモノゾル（MonoSol）８６３０（登録商標）である。（フィルムは、７６μｍと３８μｍの厚さで使用される。）ぬれた手の水漏れに対する抵抗は、本明細書で上記した「パウチの水滴抵抗の測定（Pouch Water Droplet Resistance Measurement）」により評価される。
【００３７】
結果を下記の表に示す：
【表３】
2008518861.tif 000006
【００３８】
上記結果は、比較のパウチ入り組成物（パウチ入り組成物Ａ、Ｂ及びＣ）と比較し、本発明による液体パウチ組成物（パウチ入り組成物５）のぬれた手の水漏れに対する抵抗が改良されていることをはきり示している。これは、フィルムが厚い（７６μｍ）又は薄い（３８μｍ）かに依存していないことを実証している。
【国際調査報告】
2008518861.tif 000007
2008518861.tif 000008
2008518861.tif 000009